(57)【特許請求の範囲】
【請求項１】
所定の異なる複数の径を有するオリフィスを流通するガスの流量と、その流通時間とを乗じて積算流量を算出する積算流量計であって、
複数の異なる径のオリフィスを同一円周上に所定のピッチで形成した円板と、
前記円板が固定された回転軸の他端部に固定して取り付けられた流量設定ダイヤルと、
前記流量設定ダイヤルの裏面側に形成された円弧状の溝と、
ケーシングに取り付けられ、前記溝内を移動すると共に、該溝の両端部に当接して前記流量設定ダイヤルの回転を規制し得るピンと、
前記オリフィスの上流側でガスの圧力を検知する圧力検知手段と、
前記圧力検知手段により検知された圧力が供給標準圧力まで下がった時点でガス流量の積算を開始し、前記圧力検知手段により検知された圧力が停止標準圧力まで上がった時点でガス流量の積算を停止する制御部と、
を有することを特徴とする積算流量計。
【請求項２】
前記圧力検知手段により検知された圧力と、前記オリフィスの上流側で予想される標準圧力とを比較判断し、
ガス供給時に前記圧力検知手段により検知された圧力が、予想される供給標準圧力よりも小さい場合にはガス供給側に異常が発生したと判断し、
ガス供給時に前記圧力検知手段により検知された圧力が、予想される供給標準圧力よりも大きい場合にはガス需要側に異常が発生したと判断する制御部と、
前記制御部により判断された異常状態を報知する報知手段と、
を有することを特徴とする請求項１に記載の積算流量計。
【発明の詳細な説明】
【０００１】
【発明の属する技術分野】
本発明は、オリフィスを流通するガスの流量と、その流通時間とを乗じて積算流量を算出する積算流量計に関するものである。
【０００２】
【従来の技術】
最近建設された病院では、医療用酸素ガス、圧縮空気、笑気ガス等のガス配管を建物の壁内に敷設し、手術室や集中治療室或いは病室に配管端末器を設置して各種ガスの集中管理が行なわれている。そして、配管端末器を利用して治療等に使用した各種ガスの使用量に応じて課金を行ったり、病室等に各種ガスボンベを搬送し、該ガスボンベを利用して治療等に使用した各種ガスの使用量に応じて課金を行うための積算流量計が提案されている。
【０００３】
各種ガスは、その使用流量を調節するために所定の異なる複数の径を有するオリフィスを用いて所望の流量が適宜選択して使用され、使用したガスの積算流量を算出する場合には、設定したオリフィスを流通するガスの流量と、その流通時間とを乗じて積算流量を容易に算出することが出来る。
【０００４】
積算流量計の一例として、実用新案登録第2588152号公報には、図８に示すように、オリフィス式流量切替器101の上流側と下流側の差圧で作動する圧力スイッチ102を設け、ガスが流れてオリフィス式流量切替器101に設けられたオリフィスの両端に差圧が生じて圧力スイッチ102がオンになった時のみ制御部103に信号を出して積算を開始し、操作スイッチ104の操作に従って現在のガス流量や積算値を表示器105に表示するように構成したものが提案されている。
【０００５】
【発明が解決しようとする課題】
しかしながら、前述の従来例では、オリフィス式流量切替器101の上流側と下流側の両方で圧力を検知する必要があるため構造が複雑になる。また、ガスの使用状況により圧力が変動し、その変動した圧力が直接オリフィスにかかると流量に多少の誤差が生じてオリフィスの両端の差圧にも誤差が生じる虞れがあるためオリフィス式流量切替器101の上流側に圧力調整弁となる減圧弁106を設けて配管内の圧力変動を除去する必要があるため部品点数が増えて部品コストが増大するという問題があった。
【０００６】
本発明は前記課題を解決するものであり、その目的とするところは、構造が簡単で誤差が生じにくく、部品点数を削減して部品コストを低減することが出来、更にはガス供給側及びガス需要側での異常を検知して報知出来る積算流量計を提供せんとするものである。
【０００７】
【課題を解決するための手段】
前記目的を達成するための本発明に係る積算流量計は、所定の異なる複数の径を有するオリフィスを流通するガスの流量と、その流通時間とを乗じて積算流量を算出する積算流量計であって、複数の異なる径のオリフィスを同一円周上に所定のピッチで形成した円板と、前記円板が固定された回転軸の他端部に固定して取り付けられた流量設定ダイヤルと、前記流量設定ダイヤルの裏面側に形成された円弧状の溝と、ケーシングに取り付けられ、前記溝内を移動すると共に、該溝の両端部に当接して前記流量設定ダイヤルの回転を規制し得るピンと、前記オリフィスの上流側でガスの圧力を検知する圧力検知手段と、前記圧力検知手段により検知された圧力が供給標準圧力まで下がった時点でガス流量の積算を開始し、前記圧力検知手段により検知された圧力が停止標準圧力まで上がった時点でガス流量の積算を停止する制御部とを有することを特徴とする。
【０００８】
本発明は、上述の如く構成したので、ガス供給状態において需要側でガスを使用すると、圧力検知手段により検知される圧力が下がるため、供給標準圧力まで下がった時点で制御部がガス流量の積算を開始し、ガス供給状態において需要側でのガスの使用を停止すると、該圧力検知手段により検知される圧力が上がって元の値に復帰するため、停止標準圧力まで上がった時点で制御部がガス流量の積算を停止し、所定の径のオリフィスを流通するガスの流量と、積算開始時刻から積算停止時刻までの流通時間とを乗じて積算流量を算出することが出来る。
【０００９】
また、前記圧力検知手段により検知された圧力と、前記オリフィスの上流側で予想される標準圧力とを比較判断し、ガス供給時に前記圧力検知手段により検知された圧力が、予想される供給標準圧力よりも小さい場合にはガス供給側に異常が発生したと判断し、ガス供給時に前記圧力検知手段により検知された圧力が、予想される供給標準圧力よりも大きい場合にはガス需要側に異常が発生したと判断する制御部と、前記制御部により判断された異常状態を報知する報知手段とを有することを特徴とする。
【００１０】
上記構成によれば、ガス供給時に圧力検知手段により検知された圧力が、予想される供給標準圧力よりも小さい場合には、制御部がガス供給圧不足や流路上のガス漏れ等でガス供給側に異常が発生したと判断して報知手段により異常状態を報知することが出来る。
【００１１】
また、ガス供給時に圧力検知手段により検知された圧力が、予想される供給標準圧力よりも大きい場合には、制御部が流路の詰まり等でガス需要側に異常が発生したと判断して報知手段により異常状態を報知することが出来る。
【００１２】
【発明の実施の形態】
図により本発明に係る積算流量計の一実施形態を具体的に説明する。図１は本発明に係る積算流量計の第１実施形態の構成を示す断面説明図、図２は本発明に係る積算流量計の第１実施形態の正面図、図３はオリフィスの構成を示す斜視説明図、図４は本発明に係る積算流量計の制御系の構成を示すブロック図、図５は本発明に係る積算流量計において異常状態を検知するための圧力変動の様子を示す図である。
【００１３】
先ず、図１〜図５を用いて本発明に係る積算流量計の第１実施形態について説明する。図１及び図２において、Ａは積算流量計であり、図３に示すように、所定の異なる複数の径を有するオリフィス１を流通するガスの流量と、その流通時間とを乗じてガスの積算流量を算出するように構成されている。
【００１４】
２は病院の手術室や集中治療室或いは病室に設置された配管端末器３のソケットに接続可能なプラグである。配管端末器３には建物の壁内に敷設されたガス配管を介して医療用酸素ガス21、圧縮空気、笑気ガス等の各種ガスが集中管理されつつ供給されている。
【００１５】
プラグ２の流路２ａの下流側にはガスのみを通過させて塵埃を除去するためのフィルタ２ｂが設けられており、該フィルタ２ｂの流路下流側（以下、単に「下流側」という）には一次室８及び二次室９が形成されており、一次室８と二次室９との接合部位にノズル７が形成されている。
【００１６】
二次室９は、ケーシング10と、該ケーシング10内に収容されたスリーブ11と、該スリーブ11に対して図１の左右方向に移動可能に設けられたピストン12とにより形成されており、スリーブ11とピストン12との間に圧縮バネ13が設けられている。
【００１７】
ピストン12の下流側には圧力作用室14が形成されており、該圧力作用室14の下流側には、図３に示すオリフィス流量調整器５が設けられている。
【００１８】
オリフィス流量調整器５は、図３に示すように、複数の異なる径のオリフィス１を同一円周上に所定のピッチで形成した円板５ｂが回転軸５ａを中心に回転可能に設けられており、本実施形態では、円板５ｂ内の同一円周上を１４等分し、オリフィス１を形成していない部分と、これに隣接して順次径が大きくなる１３個のオリフィス１が形成されている。
【００１９】
オリフィス１が設けられた円板５ｂが固定された回転軸５ａの他端部にはガスの流量を調整するための流量設定ダイヤル５ｃが固定して取り付けられており、該流量設定ダイヤル５ｃを摘んで回転軸５ａを中心に回転させることでガスの流量を段階的に調整して設定出来るようになっている。
【００２０】
流量設定ダイヤル５ｃの裏面側には円弧状の溝５ｄが形成されており、該溝５ｄ内をケーシング６に取り付けられたピン６ａが移動することで流量設定ダイヤル５ｃの回転が円滑に行われ、溝５ｄの両端部にピン６ａが当接して流量設定ダイヤル５ｃの回転が規制されることで、ガスの流量が次第に段階的に増減するようになっている。これにより、最大流量から突然停止したり、停止状態から突然最大流量で供給されることがないように安全性が考慮されている。
【００２１】
また、流量設定ダイヤル５ｃの裏面側で溝５ｄの内周側に隣接して球面状の窪み５ｅが同一円周上に形成されており、ケーシング６に設けられたコイルバネ６ｃの端部に取り付けられたボール６ｄが窪み５ｅに嵌入することで、ケーシング６に設けられた流路６ｂとオリフィス１との位置が確実に一致して連通すると共に設定したフィット感が得られるようになっている。
【００２２】
オリフィス１の流路上流側（以下、単に「上流側」という）に形成された圧力作用室14には流路14ａを介してガスの圧力を検知する圧力検知手段となる圧電素子等からなる圧力センサ４が設けられており、該圧力センサ４は電気回路基板24に取り付けられている。圧力センサ４は圧力作用室14内のガスの圧力を受けて、その圧力に応じた起電力が発生し、その電気信号が図４に示す制御部15に送られる。
【００２３】
本実施形態では、酸素ガス21を供給する一例を示し、ケーシング６には出口継手16を介して加湿器17が接続されており、加湿器17の吸入用酸素出口17ａに呼吸同調装置18が接続され、その下流側に図示しない鼻カニューラや口にくわえるマウスピース或いは顔面を覆うマスク等が接続される。呼吸同調装置18は酸素ガス21を患者の吸気と同調させて供給するものである。
【００２４】
尚、酸素ガス21の代わりに笑気ガスや圧縮空気を使用する場合には加湿器17を省略して出口継手16に直接カニューラやマウスピースやマスク等が接続される。
【００２５】
図１において、スリーブ11は常時圧縮バネ13により押圧されてＯリング11ａを介してケーシング10の内壁面に気密的に圧接されており、ピストン12はＯリング12ｂを介してスリーブ11の内壁面に気密的に圧接されており、これにより二次室９の気密性が確保されている。
【００２６】
また、ケーシング10内を図１の左右方向に移動可能なピストン12の外周側面部に設けられたＯリング12ａと、ケーシング６の外周側面部に設けられたＯリング６ｅとがケーシング10の内壁面に圧接されており、これにより圧力作用室14の気密性が確保されている。
【００２７】
プラグ２を配管端末器３の図示しないソケットから脱離した使用しない状態では、圧縮バネ13の付勢力によりピストン12は、図１の左側に位置し、ケーシング６の端面に当接した状態で保持されている。
【００２８】
そして、プラグ２を配管端末器３の図示しないソケットに装着すると、該プラグ２の流路２ａから導かれた酸素ガス21はフィルタ２ｂにより塵埃等が除去された後、一次室８からノズル７を介して二次室９に導かれ、更にスリーブ11の内壁面とピストン12の外壁面との間に形成された間隙19及びピストン12に形成された流路12ｃ，12ｄを介して圧力作用室14に導かれる。
【００２９】
ここで、オリフィス流量調整器５の流量設定ダイヤル５ｃを停止状態に設定した時、流路６ｂは円板５ｂのオリフィス１がない部分により閉塞されており、圧力作用室14に圧力が発生してピストン12が図１の右方向に移動し、ノズルシート12ｅがノズル７に圧接されてノズル７を閉塞する。
【００３０】
この時、二次室９の圧力に圧縮バネ13の付勢力が加わった力と、圧力作用室14の圧力とが釣り合った状態でピストン12の位置が維持され、圧力作用室14の圧力は図５（ａ）に示すように一定の停止標準圧力となる。酸素ガス21はこの圧力調整部で、例えば、０．１５Ｍｐａに減圧された後、オリフィス流量調整器５に供給されてオリフィス１の選択により必要な流量を得ることが出来る。オリフィス流量調整器５に供給される圧力が例えば０．１５Ｍｐａに固定されているのでオリフィス１の穴径を変えることにより流量を調整することが出来る。
【００３１】
そして、流量設定ダイヤル５ｃを回転して所望の径のオリフィス１に設定すると、該オリフィス１を介してケーシング６の流路６ｂ、出口継手16の流路16ａ、加湿器17に収容された水20の内部まで延長されたパイプ17ｂを介して酸素ガス21が流通し、水20を通って加湿された後、吸入用酸素出口17ａから呼吸同調装置18を介してカニューラやマウスピースやマスク等を付けた患者に供給される。
【００３２】
オリフィス１を介して酸素ガス21が流通すると、圧力作用室14の圧力は図５（ａ）の時刻ｔ１に示すように一定の供給標準圧力まで下がり、この減圧に応じて圧縮バネ13の付勢力によってピストン12が図１の左方向に移動してノズル７と、該ノズル７に対向してピストン12の先端部に設けられたノズルシート12ｅとの間隔が大きくなって二次室９と圧力作用室14との圧力が一定に保持され、オリフィス１を流通する酸素ガス21の流量が一定になるように作用する。
【００３３】
その後、流量設定ダイヤル５ｃを回転して円板５ｂのオリフィス１のない部分が流路６ｂを閉塞する停止位置に設定すると、圧力作用室14の圧力が図５（ａ）の時刻ｔ２に示すように供給標準圧力から停止標準圧力まで上がり、この昇圧に応じて圧縮バネ13の付勢力に抗してピストン12が図１の右方向に移動し、ノズルシート12ｅがノズル７に圧接されてノズル７を閉塞する。
【００３４】
この時、二次室９の圧力に圧縮バネ13の付勢力が加わった力と、圧力作用室14の圧力とが釣り合った状態でピストン12の位置が維持され、圧力作用室14の圧力は図５（ａ）に示すように一定の停止標準圧力となる。
【００３５】
また、酸素ガス21の供給時に流量設定ダイヤル５ｃを回転してオリフィス１の径を変更した場合には、円板５ｂの各オリフィス１の間が流路６ｂを通過する際に一旦、停止状態に遷移した後、該停止状態から次に選択されたオリフィス１による供給状態に遷移する。
【００３６】
尚、供給側のガス供給源としては、配管端末器３の代わりに各種のガスボンベ22を採用しても良く、図１に示すプラグ２の代わりにガスボンベ22に接続し得る継手を積算流量計Ａに取り付けて該積算流量計Ａをガスボンベ22に装着して使用しても良い。
【００３７】
積算流量計Ａの筐体23内部には制御部15を構成するＩＣ（半導体集積回路）チップやＬＳＩ（半導体大規模集積回路）チップ等を含む電気回路基板24が取り付けられており、更には液晶表示装置25ａや発光ダイオード、発光ランプ等の表示手段25やスピーカーやブザー或いはアラーム等の警報手段26が報知手段として設けられている。
【００３８】
また、筐体23の内部には電気回路基板24、表示手段25、警報手段26等が動作するための電力を供給する電池27が取り付けられている。
【００３９】
オリフィス１の上流側で圧力作用室14の圧力を検知するために圧力作用室14に接続された流路14ａに設けられた圧力センサ４は制御部15に接続されており、該圧力センサ４の圧力情報が制御部15に伝達される。
【００４０】
また、オリフィス流量調整器５の流量設定ダイヤル５ｃの回転軸５ａには図示しないロータリースイッチが設けられており、流量設定ダイヤル５ｃの設定位置情報がロータリースイッチを介して制御部15に伝達される。
【００４１】
また、流量設定ダイヤル５ｃの回転軸５ａに設けられたロータリースイッチは積算流量計Ａの電源のＯＮ／ＯＦＦを行う電源スイッチを兼ねており、円板５ｂのオリフィス１がない部位が流路６ｂに対向する位置に流量設定ダイヤル５ｃが設定された時に積算流量計Ａの電源をＯＦＦとし、該流路６ｂに各オリフィス１が対向する位置に流量設定ダイヤル５ｃが設定された時に積算流量計Ａの電源をＯＮとする。
【００４２】
制御部15は、図４に示すように、ＣＰＵ（中央演算処理装置）15ａ，ＲＯＭ（読み出し専用メモリー）15ｂ，ＲＡＭ（ランダムアクセスメモリー）15ｃ、タイマー15ｄ等を有して構成されている。
【００４３】
ＣＰＵ15ａはＲＯＭ15ｂに予め記憶されたプログラムや、一旦ＲＡＭ15ｃに記憶された各種データを読み出し、必要な演算や判断を行い、各種制御を行うものである。本実施形態では、圧力センサ４により検知された実際の圧力と、該圧力センサ４が配置されたオリフィス１の上流側の圧力作用室14内で予想される標準圧力とを比較判断する。
【００４４】
また、ＣＰＵ15ａは、図５（ａ）の時刻ｔ１に示すように、圧力センサ４により検知された圧力が下がった時点でガス流量の積算を開始するためにタイマー15ｄのカウントを開始し、図５（ａ）の時刻ｔ２に示すように、圧力センサ４により検知された圧力が上がった時点でガス流量の積算を停止するためにタイマー15ｄのカウントを停止させる。
【００４５】
そして、流量設定ダイヤル５ｃの回転軸５ａに取り付けられた図示しないロータリースイッチにより検知された所定のオリフィス１を流通するガスの流量と、タイマー15ｄにより測定された積算開始時刻ｔ１から積算停止時刻ｔ２までの流通時間（ｔ２−ｔ１）とを乗じて積算流量を算出し、液晶表示装置25ａにより使用時間と流量或いは積算流量を適宜選択的に表示する。
【００４６】
図２（ａ）は使用時間を液晶表示装置25ａの上段に表示し、下段に流量を表示した一例であり、図２（ｂ）は使用時間を液晶表示装置25ａの上段に表示し、下段に積算流量を表示した一例である。図２中、28は流量と積算流量との表示モードを切り換えるモード切換ボタンであり、流量設定ダイヤル５ｃを回転させてオリフィス１を切り換えると、図２（ａ）に示すように、そのオリフィス１による現在の流量が初めに表示される。29は積算流量をリセットして「０」に復帰させるためのリセットボタンである。
【００４７】
例えば、流量設定ダイヤル５ｃを流量が１［リットル／分］のオリフィス１に設定して１００分使用した後（積算流量＝１００［リットル］）、更に流量設定ダイヤル５ｃを回転して流量が１．５［リットル／分］のオリフィス１に設定して１００分使用し（積算流量＝１５０［リットル］）、更に、流量設定ダイヤル５ｃを回転して流量が２［リットル／分］のオリフィス１に設定して３０分使用した（積算流量＝６０［リットル］）場合の積算流量は３１０［リットル］として液晶表示装置25ａに表示される。
【００４８】
各回の積算流量は順次ＲＡＭ15ｃに記憶されており、リセットボタン29が押されて積算流量が「０」にリセットされるまではＲＡＭ15ｃに記憶された各回の積算流量が順次加算されて液晶表示装置25ａに合計の積算流量が表示される。即ち、リセットボタン29でリセットをしない限りは次に使用する時は前回の値で積算する。従って、新たに測定する場合は、必ずリセット画面でリセットを行って使用する。
【００４９】
また、ＣＰＵ15ａは、図５（ｂ）に示すように、圧力センサ４により検知された圧力が該圧力センサ４が配置されたオリフィス１の上流側の圧力作用室14内で予想される供給標準圧力よりも小さい場合には、オリフィス１よりも上流側であるガス供給側でガス供給圧不足や流路上のガス漏れ等の異常が発生したと判断して液晶表示装置25ａ等の表示手段25や警報手段26等の報知手段により異常状態を報知する。
【００５０】
また、ＣＰＵ15ａは、図５（ｃ）に示すように、圧力センサ４により検知された圧力が該圧力センサ４が配置されたオリフィス１の上流側の圧力作用室14内で予想される供給標準圧力よりも大きい場合には、オリフィス１よりも下流側であるガス需要側で流路の詰まり等の異常が発生したと判断して液晶表示装置25ａ等の表示手段25や警報手段26等の報知手段により異常状態を報知する。
【００５１】
圧力センサ４の検知情報によりＣＰＵ15ａが酸素ガス21の供給に異常があると判断した場合には流量設定ダイヤル５ｃを「０」以外に設定した時でもガス供給警報が働き、時間の計測は行わない。また、圧力センサ４の検知情報によりＣＰＵ15ａがガス流出側においても異常があると判断した場合にはガス流出警報が働き、同じく時間の計測は行わない。
【００５２】
ＲＯＭ15ｂは読み出し専用メモリーであり、ＣＰＵ15ａが動作するための各種プログラムや演算に必要な各種データを格納している。ＲＯＭ15ｂにはオリフィス１の上流側の圧力作用室14内で予想される停止標準圧力及び供給標準圧力が予め記憶されており、更には流量設定ダイヤル５ｃの設定位置に応じたオリフィス１を流通する流量が記憶されている。
【００５３】
ＲＡＭ15ｃは図示しないロータリースイッチにより検知された流量設定ダイヤル５ｃの位置情報や圧力センサ４により検知された圧力情報、或いは電池27の残量等の情報を随時記憶してＣＰＵ15ａに伝達する。
【００５４】
液晶表示装置25ａには、使用時間、流量、積算流量、電池残量或いは異常情報等の報知情報を表示して報知出来るようになっており、圧力センサ４や流量設定ダイヤル５ｃの回転軸５ａに設けられたロータリースイッチにより検知した検知情報やタイマー15ｄによりカウントした時間情報に基づいて制御部15が各種演算を行い、液晶表示装置25ａに所定の報知情報を出力し、この報知情報に基づいて積算流量計Ａの使用時間、流量、積算流量、電池残量或いは異常情報等の報知情報を液晶表示装置25ａに表示して報知する。
【００５５】
液晶表示装置25ａ等の表示手段25は制御部15から出力された報知情報を文字や図形表示して報知する。本実施形態では、液晶表示装置25ａを採用したことにより比較的安価で消費電力を少なくして電池27の寿命を長くすることが出来るものであるが、他の表示手段25の構成として、暗い場所でも報知情報を容易に確認可能なＬＥＤ（発光ダイオード）を採用しても良い。
【００５６】
また、警報手段26はＲＯＭ15ｂに予め記憶された異常伝達メッセージをスピーカーを介して報知したり、ブザーやアラーム等の警報装置を装備しても良く、前述した異常状態を患者以外にもその周囲にいる付き添いや同室の患者、或いはナース等に向けて警報を発するように構成しても良い。
【００５７】
表示手段25や警報手段26により報知した報知情報や警報を解除する場合には、リセットボタン29を押すことにより解除すれば良い。尚、積算流量計Ａの電源としては電池27の代わりに蓄電池や家庭用電源を用いても良い。
【００５８】
モード切換ボタン28は設定流量表示、積算流量表示、リセット表示の３画面に切り換えられ、リセットボタン29はリセット画面時に積算した流量データをリセットしたり、リセット画面以外の画面で各警報音を停止する。
【００５９】
また、液晶表示装置25ａにはバックライトが設けられており、これにより夜間でも視認可能になっている。液晶表示装置25ａには、初期画面、電池残量、使用中、設定流量、積算流量、リセットの６画面が表示される。
【００６０】
次に図６及び図７を用いて本発明に係る積算流量計の第２実施形態の構成について説明する。図６は本発明に係る積算流量計の第２実施形態の構成を示す斜視説明図、図７は第２実施形態において扉を開放した様子を示す斜視説明図である。尚、前記第１実施形態と同様に構成したものは同一の符号を付して説明を省略する。
【００６１】
本実施形態では、前述した積算流量計Ａを配管端末器３の内部に一体的に組み込んだものである。表示手段25、流量設定ダイヤル５ｃ、リセットボタン29、出口継手16等の配置構成は異なるが基本的な構成は前記第１実施形態と同様であるため詳しい説明は省略する。
【００６２】
図６において、酸素ガス配管31、圧縮空気配管32、笑気ガス配管33が配設された配管端末器３が建物の壁内に敷設され、開閉扉３ｂが取り付けられたフロントパネル３ａが建物の壁面から露出している。また、本実施形態では電源として電池27の他に家庭用電源を採用しても良い。
【００６３】
そして、積算流量計Ａの出口継手16に接続されたソケット34に酸素ガス21であれば加湿器17が接続され、或いは酸素ガス21の代わりに笑気ガスや圧縮空気であれば加湿器17を省略してソケット34に直接カニューラやマウスピースやマスク等が接続される。
【００６４】
本実施形態では積算流量をリセットするリセットボタン29ａと、警報音をリセットするリセットボタン29ｂとが別々に設けられている。開閉扉３ｂはヒンジ部材３ｃを介して開閉可能に取り付けられており、表示手段25、ソケット34、流量設定ダイヤル５ｃ及び警報音のリセットボタン29ｂに対応する位置には開口３ｄ，３ｅ，３ｆ，３ｇが形成されている。尚、表示手段25の開口３ｄにはガラスやプラスチック等の透明部材が取り付けられている。
【００６５】
35は錠であり、ナースや管理者等の許可された者だけが解錠できるようになっている。従って、使用する患者は積算流量計Ａの積算流量をリセットするリセットボタン29ａに触れることが出来ないため不用意に積算流量がリセットされる虞がなく正確な課金が出来る。
【００６６】
また、積算流量計Ａ等のメンテナンスを行う際には、開閉扉３ｂを開放して容易にメンテナンスを行うことが出来、例えば、積算流量計Ａの電池交換や図示しない電気回路基板24等の交換が容易に出来る。
【００６７】
また、積算流量計Ａの電池交換は開閉扉３ｂを開けて交換する以外に別に設けた電池専用の開閉扉を開放して交換するように構成しても良い。
【００６８】
また、本実施形態では、開閉扉３ｂをフロントパネル３ａに対して開閉可能に構成する可動手段としてヒンジ部材３ｃを用いて構成したが、他の扉構成としてシャッター機構により開閉扉３ｂを上下或いは左右にスライドして開閉可能に構成することでも良い。
【００６９】
尚、積算流量計Ａは、ＡＣ１００Ｖや蓄電池や乾電池等の各種の電源手段により動作するように構成することが出来、例えば、基本電源としてＡＣ１００Ｖで動作し、予備電源として蓄電池や乾電池により動作するように構成しても良い。
【００７０】
また、積算流量計Ａのメンテナンスを行う際には、フロントパネル３ａの一部である開閉扉３ｂを開放して容易にメンテナンスを行うことが出来、例えば、積算流量計Ａの電池交換や、部品の交換等が容易にでき、メンテナンス上の操作性が向上する。
【００７１】
【発明の効果】
本発明は、上述の如き構成と作用とを有するので、構造が簡単で誤差が生じにくく、部品点数を削減して部品コストを低減することが出来、更にはガス供給側及びガス需要側での異常を検知して報知出来る積算流量計を提供することが出来る。
【００７２】
即ち、ガス供給状態において需要側でガスを使用すると、圧力検知手段により検知される圧力が下がるため、供給標準圧力まで下がった時点で制御部がガス流量の積算を開始し、ガス供給状態において需要側でのガスの使用を停止すると、該圧力検知手段により検知される圧力が上がって元の値に復帰するため、停止標準圧力まで上がった時点で制御部がガス流量の積算を停止し、所定の径のオリフィスを流通するガスの流量と、積算開始時刻から積算停止時刻までの流通時間とを乗じて積算流量を算出することが出来る。
【００７３】
また、ガス供給時に圧力検知手段により検知された圧力が、予想される供給標準圧力よりも小さい場合には、制御部がガス供給圧不足や流路上のガス漏れ等でガス供給側に異常が発生したと判断して報知手段により異常状態を報知することが出来る。
【００７４】
また、ガス供給時に圧力検知手段により検知された圧力が、予想される供給標準圧力よりも大きい場合には、制御部が流路の詰まり等でガス需要側に異常が発生したと判断して報知手段により異常状態を報知することが出来る。
【００７５】
また、単一の圧力検知手段（センサ）で多様な異常を検知し、報知することが出来るため構成や制御が簡単で好ましい。
【図面の簡単な説明】
【図１】  本発明に係る積算流量計の第１実施形態の構成を示す断面説明図である。
【図２】  本発明に係る積算流量計の第１実施形態の正面図である。
【図３】  オリフィスの構成を示す斜視説明図である。
【図４】  本発明に係る積算流量計の制御系の構成を示すブロック図である。
【図５】  本発明に係る積算流量計において異常状態を検知するための圧力変動の様子を示す図である。
【図６】  本発明に係る積算流量計の第２実施形態の構成を示す斜視説明図である。
【図７】  第２実施形態において扉を開放した様子を示す斜視説明図である。
【図８】  公知例を説明する図である。
【符号の説明】
Ａ…積算流量計、１…オリフィス、２…プラグ、２ａ…流路、２ｂ…フィルタ、３…配管端末器、３ａ…フロントパネル、３ｂ…開閉扉、３ｃ…ヒンジ部材、３ｄ，３ｅ，３ｆ，３ｇ…開口、４…圧力センサ、５…オリフィス流量調整器、５ａ…回転軸、５ｂ…円板、５ｃ…流量設定ダイヤル、５ｄ…溝、５ｅ…窪み、６…ケーシング、６ａ…ピン、６ｂ…流路、６ｃ…コイルバネ、６ｄ…ボール、６ｅ…Ｏリング、７…ノズル、８…一次室、９…二次室、10…ケーシング、11…スリーブ、11ａ…Ｏリング、12…ピストン、12ａ，12ｂ…Ｏリング、12ｃ，12ｄ…流路、12ｅ…ノズルシート、13…圧縮バネ、14…圧力作用室、14ａ…流路、15…制御部、15ａ…ＣＰＵ、15ｂ…ＲＯＭ、15ｃ…ＲＡＭ、15ｄ…タイマー、16…出口継手、16ａ…流路、17…加湿器、17ａ…吸入用酸素出口、17ｂ…パイプ、18…呼吸同調装置、19…間隙、20…水、21…酸素ガス、22…ガスボンベ、23…筐体、24…電気回路基板、25…表示手段、25ａ…液晶表示装置、26…警報手段、27…電池、28…モード切換ボタン、29，29ａ，29ｂ…リセットボタン、31…酸素ガス配管、32…圧縮空気配管、33…笑気ガス配管、34…ソケット
【図１】
0004714323.tif 000002
【図２】
0004714323.tif 000003
【図３】
0004714323.tif 000004
【図４】
0004714323.tif 000005
【図５】
0004714323.tif 000006
【図６】
0004714323.tif 000007
【図７】
0004714323.tif 000008
【図８】
0004714323.tif 000009